(57)【特許請求の範囲】
【請求項１】
物理ハイブリッド自動再送要求指示チャネル（ＰＨＩＣＨ）情報の伝送方法であって、
基地局がユーザ端末から報告されたチャネル状態情報を受信し、
自局に対して干渉を与える干渉基地局のオールモストブランクサブフレーム（ＡＢＳ）パターンと、ユーザ端末から報告されたチャネル状態情報とに基づいて、ユーザ端末へのＰＨＩＣＨ情報伝送用サブフレームを決定し、
基地局が、決定されたＰＨＩＣＨ情報伝送用サブフレームでユーザ端末へＰＨＩＣＨ情報を伝送する、
ことを含むことを特徴とする方法。
【請求項２】
自局に対して干渉を与える干渉基地局のＡＢＳパターンと、ユーザ端末から報告されたチャネル状態情報とに基づいて、ユーザ端末へのＰＨＩＣＨ情報伝送用サブフレームを決定することは、
ユーザ端末から報告されたチャネル状態情報に基づいて、システムで予め定義されたサブフレームでユーザ端末へＰＨＩＣＨ情報を伝送することに問題があるかどうかを判断し、問題がある場合、干渉基地局のＡＢＳパターンと、ユーザ端末から報告されたチャネル状態情報とに基づいて、新しいＰＨＩＣＨ情報伝送用サブフレームを決定し、問題がない場合、システムで予め定義されたサブフレームをＰＨＩＣＨ情報伝送用サブフレームとして決定する、
ことを含む請求項１に記載の方法。
【請求項３】
前記チャネル状態情報は、干渉基地局の干渉レベルパラメータを含み、
ユーザ端末から報告されたチャネル状態情報に基づいて、システムで予め定義されたサブフレームでユーザ端末へＰＨＩＣＨ情報を伝送することに問題があるかどうかを判断することは、チャネル状態情報における干渉レベルパラメータと所定の干渉レベル閾値とを比較し、干渉レベルパラメータが所定の干渉レベル閾値より大きい場合、システムで予め定義されたサブフレームでＰＨＩＣＨ情報を伝送することに問題があると決定し、干渉レベルパラメータが所定の干渉レベル閾値より大きくない場合、システムで予め定義されたサブフレームでＰＨＩＣＨ情報を伝送することに問題がないと決定する、ことを含む、
請求項２に記載の方法。
【請求項４】
前記干渉レベルパラメータは、干渉エネルギーまたは干渉電力を含む、
請求項３に記載の方法。
【請求項５】
前記チャネル状態情報は、干渉基地局の制御チャネルまたは信号の性能指示を含み、
ユーザ端末から報告されたチャネル状態情報に基づいて、システムで予め定義されたサブフレームでユーザ端末へＰＨＩＣＨ情報を伝送することに問題があるかどうかを判断することは、制御チャネルまたは信号の性能指示に基づいて、システムで予め定義されたサブフレームでＰＨＩＣＨ情報を伝送することに問題があるかどうかを決定する、ことを含む、
請求項２に記載の方法。
【請求項６】
前記干渉基地局の制御チャネルまたは信号の性能指示は、ユーザ端末から報告された、システムで予め定義されたサブフレームでユーザ端末へＰＨＩＣＨ情報を伝送することに問題があるかどうかの指示である、
請求項５に記載の方法。
【請求項７】
基地局が、自局に対して干渉を与える干渉基地局のＡＢＳパターンを取得する、
ことをさらに含む請求項１に記載の方法。
【請求項８】
決定されたＰＨＩＣＨ情報伝送用サブフレームが、システムで予め定義されたサブフレームではない場合、基地局がユーザ端末に対し、新しいサブフレームでＰＨＩＣＨ情報を受信するよう通知する、
ことをさらに含む請求項２に記載の方法。
【請求項９】
基地局がユーザ端末に対し、新しいサブフレームでＰＨＩＣＨ情報を受信するよう通知することは、
基地局が、無線リソース制御（ＲＲＣ）シグナリング、媒体アクセス制御（ＭＡＣ）制御要素（ＣＥ）、または運用・保守（Ｏ＆Ｍ）シグナリングによって、ＰＨＩＣＨ情報受信用サブフレームのサブフレーム番号をユーザ端末に通知する、
ことを含む請求項８に記載の方法。
【請求項１０】
干渉基地局のＡＢＳパターンと、ユーザ端末から報告されたチャネル状態情報とに基づいて、新しいＰＨＩＣＨ情報伝送用サブフレームを決定することは、
基地局が、干渉基地局のＡＢＳパターンと、ユーザ端末から報告されたチャネル状態情報とに基づいて、干渉基地局によってＡＢＳと設定され、かつ前記ＡＢＳでの干渉レベルパラメータが所定の干渉レベル閾値より小さい１つのサブフレームを検索して、ＰＨＩＣＨ情報伝送用サブフレームとする、
ことを含む請求項９に記載の方法。
【請求項１１】
基地局がユーザ端末に対し、新しいサブフレームでＰＨＩＣＨ情報を受信するよう通知することは、
基地局が、ＲＲＣシグナリング、ＭＡＣ  ＣＥ、またはＯ＆Ｍシグナリングによって、ＰＨＩＣＨ情報受信用サブフレームの決定規則をユーザ端末に通知する、
ことを含む請求項８に記載の方法。
【請求項１２】
干渉基地局のＡＢＳパターンと、ユーザ端末から報告されたチャネル状態情報に基づいて、新しいＰＨＩＣＨ情報伝送用サブフレームを決定することは、
基地局が、干渉基地局のＡＢＳパターンと、ユーザ端末から報告されたチャネル状態情報とに基づいて、システムで予め定義されたサブフレームに最も近い、干渉基地局によってＡＢＳと設定され、かつ前記ＡＢＳでの干渉レベルパラメータが所定の干渉レベル閾値より小さいサブフレームを検索して、ＰＨＩＣＨ情報伝送用サブフレームとする、
ことを含む請求項１１に記載の方法。
【請求項１３】
干渉基地局によって設定された全てのＡＢＳでの干渉レベルパラメータがいずれも所定の干渉レベル閾値より大きい場合、前記基地局が、協調によって、干渉基地局に、新しいＡＢＳパターンを設定させて、新しいＡＢＳパターンを前記基地局およびユーザ端末へ通知させ、または、前記基地局が、協調によって、干渉基地局に、ＡＢＳでの干渉レベルパラメータの値を低減するように、新しい送信電力を設定させる、
ことをさらに含む請求項１２に記載の方法。
【請求項１４】
基地局がユーザ端末から報告されたチャネル状態情報を受信する前に、基地局がユーザ端末のチャネル状態情報の報告トリガーイベントを設定する、
ことをさらに含む請求項１に記載の方法。
【請求項１５】
基地局がユーザ端末のチャネル状態情報の報告トリガーイベントを設定することは、
基地局が、システム情報、ＲＲＣシグナリング、ＭＡＣ  ＣＥ、またはＯ＆Ｍシグナリングによって、ユーザ端末のチャネル状態情報の報告トリガーイベントを設定する、
ことを含む請求項１４に記載の方法。
【請求項１６】
基地局がユーザ端末からチャネル状態情報を周期的に報告するように設定する、
ことを含む請求項１に記載の方法。
【請求項１７】
基地局がユーザ端末からチャネル状態情報を周期的に報告するように設定することは、基地局がシステム情報、ＲＲＣシグナリング、ＭＡＣ  ＣＥ、またはＯ＆Ｍシグナリングによって、ユーザ端末からチャネル状態情報を周期的に報告するように設定する、
ことを含む請求項１６に記載の方法。
【請求項１８】
物理ハイブリッド自動再送要求指示チャネル（ＰＨＩＣＨ）情報の伝送方法であって、
ユーザ端末が基地局へチャネル状態情報を報告し、
ユーザ端末が基地局からのＰＨＩＣＨ情報受信用サブフレームを決定し、
決定されたＰＨＩＣＨ情報受信用サブフレームで、基地局からＰＨＩＣＨ情報を受信する、
ことを含み、
ユーザ端末が基地局からのＰＨＩＣＨ情報受信用サブフレームを決定することは、
ユーザ端末が、基地局から送信された、ユーザ端末に対し新しいサブフレームでＰＨＩＣＨ情報を受信するよう指示するシグナリングを受信したかどうかを判断し、基地局から送信された、ユーザ端末に対し新しいサブフレームでＰＨＩＣＨ情報を受信するよう指示するシグナリングを受信した場合、基地局から送信された新しいサブフレームでＰＨＩＣＨ情報を受信し、基地局から送信された、ユーザ端末に対し新しいサブフレームでＰＨＩＣＨ情報を受信するよう指示するシグナリングを受信していない場合、システムで予め定義されたサブフレームでＰＨＩＣＨ情報を受信する、
ことを含むことを特徴とする方法。
【請求項１９】
ユーザ端末が基地局へチャネル状態情報を報告することは、
ユーザ端末が、基地局によって設定されたチャネル状態情報の報告トリガーイベントに基づいて、前記イベントを満たすときに、基地局へチャネル状態情報を報告する、
ことを含む請求項１８に記載の方法。
【請求項２０】
基地局であって、
ユーザ端末から報告されたチャネル状態情報を受信するチャネル状態情報受信手段と、
自局に対して干渉を与える干渉基地局のオールモストブランクサブフレーム（ＡＢＳ）パターンと、ユーザ端末から報告されたチャネル状態情報とに基づいて、ユーザ端末へのＰＨＩＣＨ情報伝送用サブフレームを決定するサブフレーム決定手段と、
決定されたＰＨＩＣＨ情報伝送用サブフレームでユーザ端末へＰＨＩＣＨ情報を伝送するＰＨＩＣＨ情報伝送手段と、
を含むことを特徴とする基地局。
【請求項２１】
サブフレーム決定手段は、
ユーザ端末から報告されたチャネル状態情報に基づいて、システムで予め定義されたサブフレームでユーザ端末へＰＨＩＣＨ情報を伝送することに問題があるかどうかを判断する判断モジュールと、
システムで予め定義されたサブフレームでユーザ端末へＰＨＩＣＨ情報を伝送することに問題がある場合、干渉基地局のＡＢＳパターンと、ユーザ端末から報告されたチャネル状態情報とに基づいて、新しいＰＨＩＣＨ情報伝送用サブフレームを決定し、システムで予め定義されたサブフレームでユーザ端末へＰＨＩＣＨ情報を伝送することに問題がない場合、システムで予め定義されたサブフレームをＰＨＩＣＨ情報伝送用サブフレームとして決定するサブフレーム決定モジュールと、
を含む請求項２０に記載の基地局。
【請求項２２】
基地局間の情報やりとりによって、自局に対して干渉を与える干渉基地局のＡＢＳパターンを取得するＡＢＳパターン取得手段をさらに含む、
請求項２１に記載の基地局。
【請求項２３】
ユーザ端末に対し、新しいサブフレームでＰＨＩＣＨ情報を受信するよう通知する通知手段をさらに含む、
請求項２１に記載の基地局。
【請求項２４】
ユーザ端末であって、
基地局へチャネル状態情報を報告するチャネル状態情報報告手段と、
基地局からのＰＨＩＣＨ情報受信用サブフレームを決定するサブフレーム決定手段と、
決定されたＰＨＩＣＨ情報受信用サブフレームで基地局からＰＨＩＣＨ情報を受信するＰＨＩＣＨ情報受信手段と、
を含み、
サブフレーム決定手段は、
基地局から送信された、当該ユーザ端末に対し新しいサブフレームでＰＨＩＣＨ情報を受信するよう指示するシグナリングを受信するシグナリング受信モジュールと、
基地局から送信された、当該ユーザ端末に対し新しいサブフレームでＰＨＩＣＨ情報を受信するよう指示するシグナリングを受信したかどうかを判断し、基地局から送信された、当該ユーザ端末に対し新しいサブフレームでＰＨＩＣＨ情報を受信するよう指示するシグナリングを受信した場合、基地局から送信された、当該ユーザ端末に対し新しいサブフレームでＰＨＩＣＨ情報を受信するよう指示するシグナリングに基づいて、基地局からのＰＨＩＣＨ情報受信用サブフレームを決定し、基地局から送信された、当該ユーザ端末に対し新しいサブフレームでＰＨＩＣＨ情報を受信するよう指示するシグナリングを受信していない場合、システムで予め定義されたサブフレームをＰＨＩＣＨ情報受信用サブフレームとして決定するサブフレーム決定モジュールと、
を含むことを特徴とするユーザ端末。
【発明の詳細な説明】
【技術分野】
【０００１】
本発明は、移動通信技術に関し、特に、異種ネットワークにおける物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）情報の伝送方法およびその装置に関する。
【背景技術】
【０００２】
セルラー携帯電話は人々の通信に極大な便利をもたらし、第２世代グローバル移動通信システム（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は移動通信分野の重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に対処し、かつ、増加しつつある新たなサービスの需要を満たすために、３ＧＰＰは２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。未来のＬＴＥ−Ａ技術はさらにＬＴＥを基に、異種ネットワークを普及し、スペクトル帯域幅を数倍に増加させ、データレートを倍的に向上させ、もっと多くの移動ユーザに、更なる高速であって性能がさらに優れたサービスを提供する。
【０００４】
異種ネットワークにおいて、マクロセルのカバー範囲内に、例えばピコセル（Ｐｉｃｏ  ｃｅｌｌ）基地局、家庭用基地局（ＨｅＮＢ）、フェムトセル（ｆｅｍｔｏ  ｃｅｌｌ）基地局、リレー（Ｒｅｌａｙ）、リモート・ラジオ・ヘッド（ＲＲＨ：Ｒｅｍｏｔｅ  Ｒａｄｉｏ  Ｈｅａｄ）などのような多種の新しいタイプの低電力基地局ノードが配置されている。しかしながら、異種シナリオで、マクロセル基地局と低電力基地局とは、同じ周波数帯で動作しているので、下り制御チャネルまたは信号の間では、強烈な干渉を受けることによって復調性能が低下してしまう恐れがあるため、システムの性能が影響されてしまう。
【発明の概要】
【発明が解決しようとする課題】
【０００５】
現在、ＬＴＥバージョン１０（Ｒ１０）システムにおいて、マクロ基地局と低電力基地局との間の干渉を避けるために、ほかの基地局に対して干渉を与える干渉基地局側に、オールモストブランクサブフレーム（ＡＢＳ：Ａｌｍｏｓｔ  Ｂｌａｎｋ  Ｓｕｂｆｒａｍｅ）を設定することで、ほかの被干渉基地局への干渉を減少させることができる、ということが既に決定された。このようにして、被干渉基地局は、干渉基地局でＡＢＳと設定されたサブフレームで、干渉を受けるユーザをスケジューリングすることができる。また、Ｒ８／９システムに対する互換性を保証するために、ＡＢＳでシステム情報ブロック１／ページング機会（ＳＩＢ１／ＰＯ：Ｓｙｓｔｅｍ  Ｉｎｆｏｒｍａｔｉｏｎ  Ｂｌｏｃｋ１／Ｐａｇｉｎｇ  Ｏｃｃａｓｉｏｎ）情報を伝送する必要がある場合、相変わらずＡＢＳで、対応する物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）と物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）とを伝送する必要がある。これも、ほかの被干渉基地局に対して干渉を与えることになる。これにより、被干渉システムの制御チャネルまたは信号の復調性能が低下してしまう。
【０００６】
物理ハイブリッド自動再送要求指示チャネル（ＰＨＩＣＨ）は、下りＡＣＫ／ＮＡＣＫ情報の搭載用チャネルであることが知られている。ＲＡＮ４で定義される復調要求は０．１％である。通常、Ｒ８システムにおいて、−２ｄＢの信号対雑音比（ＳＮＲ：Ｓｉｇｎａｌ  ｔｏ  Ｎｏｉｓｅ  Ｒａｔｉｏ）は、ＰＨＩＣＨのブロック誤り率（ＢＬＥＲ：Ｂｌｏｃｋ  Ｅｒｒｏｒ  Ｒａｔｅ）が０．１％に達することを保証できると考えられる。
【０００７】
上記の状況に基づいて、異種ネットワークにおいて、干渉基地局でＡＢＳが設定されても、可能なＰＯ／ＳＩＢ１伝送により導入される干渉によって、大量のユーザが０．１％の復調要求を満たすことができなくなるということが考えられる。これにより、被干渉基地局のＰＨＩＣＨ性能が保証できなく、被干渉システムの制御チャネルまたは信号の復調性能が低下してしまう。これは、既に、現在の異種ネットワークで緊急に解決すべき課題の１つになる。
【課題を解決するための手段】
【０００８】
上記の課題を解決するために、本発明の実施例は、物理ハイブリッド自動再送要求指示チャネル情報の伝送方法およびその装置を提供している。
【０００９】
本発明の実施例で提供される物理ハイブリッド自動再送要求指示チャネル（ＰＨＩＣＨ）情報の伝送方法は、基地局がユーザから報告されたチャネル状態情報を受信し、自局に対して干渉を与える干渉基地局のオールモストブランクサブフレーム（ＡＢＳ）パターンと、ユーザから報告されたチャネル状態情報とに基づいて、ＰＨＩＣＨ情報伝送用サブフレームを決定し、基地局が、決定されたＰＨＩＣＨ情報伝送用サブフレームでＰＨＩＣＨ情報を伝送する、ことを含む。
【００１０】
ここで、自局に対して干渉を与える干渉基地局のＡＢＳパターンと、ユーザから報告されたチャネル状態情報とに基づいて、ＰＨＩＣＨ情報伝送用サブフレームを決定することは、ユーザから報告されたチャネル状態情報に基づいて、システムで予め定義されたサブフレームでＰＨＩＣＨ情報を伝送することに問題があるかどうかを判断し、問題がある場合、干渉基地局のＡＢＳパターンと、ユーザから報告されたチャネル状態情報とに基づいて、新しいＰＨＩＣＨ情報伝送用サブフレームを決定し、問題がない場合、システムで予め定義されたサブフレームをＰＨＩＣＨ情報伝送用サブフレームとして決定する、ことを含む。
【００１１】
ここで、前記チャネル状態情報は、干渉基地局の干渉レベルパラメータを含み、ユーザから報告されたチャネル状態情報に基づいて、システムで予め定義されたサブフレームでＰＨＩＣＨ情報を伝送することに問題があるかどうかを判断することは、チャネル状態情報における干渉レベルパラメータと所定の干渉レベル閾値とを比較し、干渉レベルパラメータが所定の干渉レベル閾値より大きい場合、システムで予め定義されたサブフレームでＰＨＩＣＨ情報を伝送することに問題があると決定し、干渉レベルパラメータが所定の干渉レベル閾値より大きくない場合、システムで予め定義されたサブフレームでＰＨＩＣＨ情報を伝送することに問題がないと決定する、ことを含む。
【００１２】
上記干渉レベルパラメータは、干渉エネルギーまたは干渉電力を含む。
【００１３】
上記チャネル状態情報は、干渉基地局の制御チャネルまたは信号の性能指示を含み、
ユーザから報告されたチャネル状態情報に基づいて、システムで予め定義されたサブフレームでＰＨＩＣＨ情報を伝送することに問題があるかどうかを判断することは、制御チャネルまたは信号の性能指示に基づいて、システムで予め定義されたサブフレームでＰＨＩＣＨ情報を伝送することに問題があるかどうかを決定する、ことを含む。
【００１４】
上記干渉基地局の制御チャネルまたは信号の性能指示は、ユーザから報告された、システムで予め定義されたサブフレームでＰＨＩＣＨ情報を伝送することに問題があるかどうかの指示である。
【００１５】
上記方法は、基地局が、自局に対して干渉を与える干渉基地局のＡＢＳパターンを取得する、ことをさらに含む。
【００１６】
上記方法は、決定されたＰＨＩＣＨ情報伝送用サブフレームが、システムで予め定義されたサブフレームではない場合、基地局がユーザに対し、新しいサブフレームでＰＨＩＣＨ情報を受信するよう通知する、ことをさらに含むこともできる。
【００１７】
ここで、基地局がユーザに対し、新しいサブフレームでＰＨＩＣＨ情報を受信するよう通知することは、基地局が、無線リソース制御（ＲＲＣ）シグナリング、媒体アクセス制御（ＭＡＣ）制御要素（ＣＥ）、または運用・保守（Ｏ＆Ｍ）シグナリングによって、ＰＨＩＣＨ情報受信用サブフレームのサブフレーム番号をユーザに通知する、ことを含む。
【００１８】
干渉基地局のＡＢＳパターンと、ユーザから報告されたチャネル状態情報とに基づいて、新しいＰＨＩＣＨ情報伝送用サブフレームを決定することは、基地局が、干渉基地局のＡＢＳパターンと、ユーザから報告されたチャネル状態情報とに基づいて、干渉基地局によってＡＢＳと設定され、かつ前記ＡＢＳでの干渉レベルパラメータが所定の干渉レベル閾値より小さい１つのサブフレームを検索して、ＰＨＩＣＨ情報伝送用サブフレームとする、ことを含む。
【００１９】
基地局がユーザに対し、新しいサブフレームでＰＨＩＣＨ情報を受信するよう通知することは、基地局が、ＲＲＣシグナリング、ＭＡＣ  ＣＥ、またはＯ＆Ｍシグナリングによって、ＰＨＩＣＨ情報受信用サブフレームの決定規則をユーザに通知する、ことを含む。
【００２０】
干渉基地局のＡＢＳパターンと、ユーザから報告されたチャネル状態情報に基づいて、新しいＰＨＩＣＨ情報伝送用サブフレームを決定することは、基地局が、干渉基地局のＡＢＳパターンと、ユーザから報告されたチャネル状態情報とに基づいて、システムで予め定義されたサブフレームに最も近い、干渉基地局によってＡＢＳと設定され、かつ前記ＡＢＳでの干渉レベルパラメータが所定の干渉レベル閾値より小さいサブフレームを検索して、ＰＨＩＣＨ情報伝送用サブフレームとする、ことを含む。
【００２１】
上記方法は、干渉基地局によって設定された全てのＡＢＳでの干渉レベルパラメータがいずれも所定の干渉レベル閾値より大きい場合、前記基地局が、協調によって、干渉基地局に、新しいＡＢＳパターンを設定させて、新しいＡＢＳパターンを前記基地局およびユーザへ通知させ、または、前記基地局が、協調によって、干渉基地局に、ＡＢＳでの干渉レベルパラメータの値を低減するように、新しい送信電力を設定させる、ことをさらに含む。
【００２２】
上記方法は、基地局がユーザから報告されたチャネル状態情報を受信する前に、基地局がユーザのチャネル状態情報の報告トリガーイベントを設定する、ことをさらに含む。
【００２３】
ここで、基地局がユーザのチャネル状態情報の報告トリガーイベントを設定することは、基地局が、システム情報、ＲＲＣシグナリング、ＭＡＣ  ＣＥ、またはＯ＆Ｍシグナリングによって、ユーザのチャネル状態情報の報告トリガーイベントを設定する、ことを含む。
【００２４】
上記方法は、基地局がユーザからチャネル状態情報を周期的に報告するように設定する、ことをさらに含む。
【００２５】
ここで、基地局がユーザからチャネル状態情報を周期的に報告するように設定することは、基地局がシステム情報、ＲＲＣシグナリング、ＭＡＣ  ＣＥ、またはＯ＆Ｍシグナリングによって、ユーザからチャネル状態情報を周期的に報告するように設定する、ことを含む。
【００２６】
本発明の実施例で提供される物理ハイブリッド自動再送要求指示チャネル（ＰＨＩＣＨ）情報の伝送方法は、ユーザがチャネル状態情報を報告し、ユーザがＰＨＩＣＨ情報受信用サブフレームを決定し、決定されたＰＨＩＣＨ情報受信用サブフレームでＰＨＩＣＨ情報を受信する、ことを含む。
【００２７】
ここで、ユーザがチャネル状態情報を報告することは、ユーザが、基地局によって設定されたチャネル状態情報の報告トリガーイベントに基づいて、前記イベントを満たすときに、チャネル状態情報を報告する、ことを含む。
【００２８】
ユーザがＰＨＩＣＨ情報受信用サブフレームを決定することは、ユーザが、基地局から送信された、ユーザに対し新しいサブフレームでＰＨＩＣＨ情報を受信するよう指示するシグナリングを受信したかどうかを判断し、基地局から送信された、ユーザに対し新しいサブフレームでＰＨＩＣＨ情報を受信するよう指示するシグナリングを受信した場合、基地局から送信された新しいサブフレームでＰＨＩＣＨ情報を受信し、基地局から送信された、ユーザに対し新しいサブフレームでＰＨＩＣＨ情報を受信するよう指示するシグナリングを受信していない場合、システムで予め定義されたサブフレームでＰＨＩＣＨ情報を受信する、ことを含む。
【００２９】
ここで、ユーザがＰＨＩＣＨ情報受信用サブフレームを決定することは、ユーザが、自局のチャネル状態情報に基づいて、システムで予め定義されたサブフレームでＰＨＩＣＨ情報を受信することに問題があるかどうかを判断し、問題がある場合、基地局との間で予め合意された規則に基づいて、ＰＨＩＣＨ情報受信用サブフレームを決定し、問題がない場合、システムで予め定義されたサブフレームでＰＨＩＣＨ情報を受信する、ことを含む。
【００３０】
本発明の実施例で提供される基地局は、ユーザから報告されたチャネル状態情報を受信するチャネル状態情報受信手段と、自局に対して干渉を与える干渉基地局のオールモストブランクサブフレーム（ＡＢＳ）パターンと、ユーザから報告されたチャネル状態情報とに基づいて、ＰＨＩＣＨ情報伝送用サブフレームを決定するサブフレーム決定手段と、決定されたＰＨＩＣＨ情報伝送用サブフレームでＰＨＩＣＨ情報を伝送するＰＨＩＣＨ情報伝送手段と、を含む。
【００３１】
サブフレーム決定手段は、ユーザから報告されたチャネル状態情報に基づいて、システムで予め定義されたサブフレームでＰＨＩＣＨ情報を伝送することに問題があるかどうかを判断する判断モジュールと、システムで予め定義されたサブフレームでＰＨＩＣＨ情報を伝送することに問題がある場合、干渉基地局のＡＢＳパターンと、ユーザから報告されたチャネル状態情報とに基づいて、新しいＰＨＩＣＨ情報伝送用サブフレームを決定し、システムで予め定義されたサブフレームでＰＨＩＣＨ情報を伝送することに問題がない場合、システムで予め定義されたサブフレームをＰＨＩＣＨ情報伝送用サブフレームとして決定するサブフレーム決定モジュールと、を含む。
【００３２】
上記基地局は、基地局間の情報やりとりによって、自局に対して干渉を与える干渉基地局のＡＢＳパターンを取得するＡＢＳパターン取得手段をさらに含む。
【００３３】
上記基地局は、ユーザに対し、新しいサブフレームでＰＨＩＣＨ情報を受信するよう通知する通知手段をさらに含む。
【００３４】
本発明の実施例で提供されるユーザ端末（ＵＥ）は、チャネル状態情報を報告するチャネル状態情報報告手段と、ＰＨＩＣＨ情報受信用サブフレームを決定するサブフレーム決定手段と、決定されたＰＨＩＣＨ情報受信用サブフレームでＰＨＩＣＨ情報を受信するＰＨＩＣＨ情報受信手段と、を含む。
【００３５】
上記サブフレーム決定手段は、基地局から送信された、ユーザに対し新しいサブフレームでＰＨＩＣＨ情報を受信するよう指示するシグナリングを受信するシグナリング受信モジュールと、基地局から送信された、ユーザに対し新しいサブフレームでＰＨＩＣＨ情報を受信するよう指示するシグナリングを受信したかどうかを判断し、基地局から送信された、ユーザに対し新しいサブフレームでＰＨＩＣＨ情報を受信するよう指示するシグナリングを受信した場合、基地局から送信された、ユーザに対し新しいサブフレームでＰＨＩＣＨ情報を受信するよう指示するシグナリングに基づいて、ＰＨＩＣＨ情報受信用サブフレームを決定し、基地局から送信された、ユーザに対し新しいサブフレームでＰＨＩＣＨ情報を受信するよう指示するシグナリングを受信していない場合、システムで予め定義されたサブフレームをＰＨＩＣＨ情報受信用サブフレームとして決定するサブフレーム決定モジュールと、を含む。
【００３６】
サブフレーム決定手段は、自局のチャネル状態情報に基づいて、システムで予め定義されたサブフレームでＰＨＩＣＨ情報を受信することに問題があるかどうかを判断する受信品質判断モジュールと、システムで予め定義されたサブフレームでＰＨＩＣＨ情報を受信することに問題がある場合、基地局との間で予め合意された規則に基づいて、ＰＨＩＣＨ情報受信用サブフレームを決定し、システムで予め定義されたサブフレームでＰＨＩＣＨ情報を受信することに問題がない場合、システムで予め定義されたサブフレームをＰＨＩＣＨ情報受信用サブフレームとして決定するサブフレーム決定モジュールと、を含む。
【００３７】
本発明のほかの実施例で提供される物理ハイブリッド自動再送要求指示チャネル（ＰＨＩＣＨ）情報の伝送方法は、基地局が、ユーザから報告されたチャネル状態情報を受信して、ユーザから報告されたチャネル状態情報に基づいて、システムで予め定義されたサブフレームでＰＨＩＣＨ情報を伝送することに問題があるかどうかを判断し、問題がある場合、相応の上りサブフレームでユーザをスケジューリングしない、ことを含む。
【００３８】
ここで、チャネル状態情報は、干渉基地局の干渉レベルパラメータを含み、ユーザから報告されたチャネル状態情報に基づいて、システムで予め定義されたサブフレームでＰＨＩＣＨ情報を伝送することに問題があるかどうかを判断することは、チャネル状態情報における干渉レベルパラメータと所定の干渉レベル閾値とを比較し、干渉レベルパラメータが所定の干渉レベル閾値より大きい場合、システムで予め定義されたサブフレームでＰＨＩＣＨ情報を伝送することに問題があると決定し、干渉レベルパラメータが所定の干渉レベル閾値より大きくない場合、システムで予め定義されたサブフレームでＰＨＩＣＨ情報を伝送することに問題がないと決定する、ことを含む。
【００３９】
上記チャネル状態情報は、干渉基地局の制御チャネルまたは信号の性能指示を含み、ユーザから報告されたチャネル状態情報に基づいて、システムで予め定義されたサブフレームでＰＨＩＣＨ情報を伝送することに問題があるかどうかを判断することは、制御チャネルまたは信号の性能指示に基づいて、システムで予め定義されたサブフレームでＰＨＩＣＨ情報を伝送することに問題があるかどうかを決定する、ことを含む。
【００４０】
本発明のほかの実施例で提供される基地局は、ユーザから報告されたチャネル状態情報を受信するチャネル状態情報受信手段と、ユーザから報告されたチャネル状態情報に基づいて、システムで予め定義されたサブフレームでＰＨＩＣＨ情報を伝送することに問題があるかどうかを判断し、問題がある場合、相応の上りサブフレームでユーザをスケジューリングしない上りスケジューリング手段と、を含む。
【発明の効果】
【００４１】
ここから分かるように、本発明で提供される方法および装置は、異種ネットワークでの被干渉システムのＰＨＩＣＨの復調性能を効果的に向上させることができ、受ける干渉の影響が大きいユーザにとって、データ伝送遅延を基本的に保証できるとともに、余分なシグナリングオーバヘッドを多く増加させることがないため、システムに大きな影響を与えることがない。
【図面の簡単な説明】
【００４２】
【図１】本発明の一実施例に係るＰＨＩＣＨ情報の伝送方法の基地局側のフローチャートである。
【図２】本発明の一実施例に係るＰＨＩＣＨ情報の伝送方法のユーザ側のフローチャートである。
【図３】本発明の一実施例に係る基地局の内部構成を示す図である。
【図４】本発明の一実施例に係るＵＥの内部構成を示す図である。
【図５】本発明のほかの実施例に係るＰＨＩＣＨ情報の伝送方法の基地局側のフローチャートである。
【図６】本発明のほかの実施例に係る基地局の内部構成を示す図である。
【発明を実施するための形態】
【００４３】
本発明の一実施例は、ＰＨＩＣＨ情報の伝送方法を提供することで、被干渉基地局のＰＨＩＣＨの性能を保証できないという課題を解決する。
【００４４】
本実施例に係る方法の基地局側のフローチャートは、図１に示すように、主に、以下のステップを含む。
【００４５】
ステップ１０１で、基地局はユーザから報告されたチャネル状態情報を受信する。
【００４６】
上記チャネル状態情報は、該基地局に対して干渉を与える干渉基地局の干渉レベルパラメータ（干渉エネルギーまたは干渉電力などを含む）を含み、あるいは、干渉基地局の制御チャネルまたは信号の性能指示を含む。また、上記チャネル状態情報において、セルＩＤを利用して干渉基地局を識別することもできる。
【００４７】
ユーザが自局のチャネル状態情報を基地局へ報告できるようにするために、基地局は、ユーザに対して、チャネル状態情報の新しい報告トリガーイベントを設定することができる。本実施例において、基地局は、無線リソース制御（ＲＲＣ）シグナリング、媒体アクセス制御（ＭＡＣ）制御要素（ＣＥ：ｃｏｎｔｒｏｌ  ｅｌｅｍｅｎｔ）、運用・保守（Ｏ＆Ｍ）シグナリングまたはシステム情報によって、ユーザに対して、当該新しい報告トリガーイベントを設定することができる。また、基地局は、ユーザからチャネル状態情報を周期的に報告するように設定することもできる。同様に、本実施例において、基地局は、ＲＲＣシグナリング、ＭＡＣ  ＣＥ、Ｏ＆Ｍシグナリングまたはシステム情報によって、ユーザからチャネル状態情報を周期的に報告するように設定することもできる。
【００４８】
ステップ１０２で、自局に対して干渉を与える干渉基地局のＡＢＳパターンと、ユーザから報告されたチャネル状態情報とに基づいて、ＰＨＩＣＨ情報伝送用サブフレームを決定する。
【００４９】
本実施例において、本ステップは、具体的に、下記のようなサブステップを含むことができる。
【００５０】
サブステップ１０２１で、ユーザから報告されたチャネル状態情報に基づいて、システムで予め定義されたサブフレームでＰＨＩＣＨ情報を伝送することに問題があるかどうかを判断し、問題がある場合、サブステップ１０２２に進み、問題がない場合、サブステップ１０２３に進む。
【００５１】
本ステップで、上記チャネル状態情報が干渉基地局の干渉レベルパラメータ（例えば、干渉エネルギーまたは干渉電力）を含む場合、本ステップで、チャネル状態情報における干渉レベルパラメータと所定の干渉レベル閾値とを比較し、干渉レベルパラメータが所定の干渉レベル閾値より大きい場合、システムで予め定義されたサブフレームでＰＨＩＣＨ情報を伝送することに問題があると決定し、干渉レベルパラメータが所定の干渉レベル閾値より大きくない場合、システムで予め定義されたサブフレームでＰＨＩＣＨ情報を伝送することに問題がないと決定する。
【００５２】
上記チャネル状態情報が干渉基地局の制御チャネルまたは信号の性能指示を含む場合、基地局は、直接に、制御チャネルまたは信号の性能指示に基づいて、システムで予め定義されたサブフレームでＰＨＩＣＨ情報を伝送することに問題があるかどうかを決定する。ここで、該性能指示は、ユーザから報告された、システムで予め定義されたサブフレームでＰＨＩＣＨ情報を伝送することに問題があるかどうかの指示を指す。具体的に、ユーザは、まず、干渉基地局の干渉レベルパラメータに基づいて、システムで予め定義されたサブフレームでＰＨＩＣＨ情報を伝送することに問題があるかどうかを判断し、例えば、干渉基地局の干渉レベルパラメータが所定の干渉レベル閾値より大きいかどうかを判断し、それから、判断結果を干渉基地局の制御チャネルまたは信号の性能指示として基地局へ報告することができる。またあるいは、ユーザは、基地局によって設定された新しい報告トリガーイベントに基づいて、例えば、制御チャネルまたは信号の性能がシステム要求を満たすことができないときにだけ、チャネル状態情報を報告して、報告されるチャネル状態情報に制御チャネルまたは信号の性能指示を含ませ、基地局は、ユーザから報告されたチャネル状態情報を受信したとき、その中の制御チャネルまたは信号の性能指示によって、システムで予め定義されたサブフレームでＰＨＩＣＨ情報を伝送することに問題があると決定することができる。
【００５３】
説明すべきものとして、上記の説明では、システムで予め定義されたサブフレームでＰＨＩＣＨ情報を伝送することに問題があるかどうかを決定する例示的な方法のみが提供されている。本実施例において、ほかの類似な代替案を採用して、システムで予め定義されたサブフレームでＰＨＩＣＨ情報を伝送することに問題があるかどうかを判断することもできるが、本発明の保護しようとする範囲を超えるはずがない。
【００５４】
サブステップ１０２２で、干渉基地局のＡＢＳパターンと、ユーザから報告されたチャネル状態情報とに基づいて、新しいＰＨＩＣＨ情報伝送用サブフレームを決定する。
【００５５】
本ステップで、基地局は、干渉基地局のＡＢＳパターンと、ユーザから報告されたチャネル状態情報とに基づいて、使用可能なサブフレームを検索して、ＰＨＩＣＨ情報伝送用サブフレームとすることができる。例えば、基地局は、干渉基地局のＡＢＳパターンと、ユーザから報告されたチャネル状態情報とに基づいて、干渉基地局によってＡＢＳと設定され、かつ該ＡＢＳでの干渉レベルパラメータが所定の干渉レベル閾値より小さいサブフレームを検索して、ＰＨＩＣＨ情報伝送用サブフレームとすることができる。この場合、上記条件を満たすサブフレームが複数ある可能性があるため、基地局は、その中から１つのサブフレームを任意的に選択して、ＰＨＩＣＨ情報伝送用サブフレームとすることができ、また、ＰＨＩＣＨ情報伝送用サブフレームを決定した後、決定されたサブフレームのサブフレーム番号を明示的な方式によってユーザに通知する必要があり、例えば、ＲＲＣシグナリング、ＭＡＣ  ＣＥ、Ｏ＆Ｍシグナリングまたはシステム情報によって、ＰＨＩＣＨ情報受信用サブフレームのサブフレーム番号をユーザに通知する。
【００５６】
本ステップで、基地局は、所定の規則によって、ＰＨＩＣＨ情報伝送用サブフレームを決定することもできる。例えば、基地局は、干渉基地局のＡＢＳパターンと、ユーザから報告されたチャネル状態情報に基づいて、システムで予め定義されたサブフレームに最も近い、干渉基地局によってＡＢＳと設定され、かつ該ＡＢＳでの干渉レベルパラメータが所定の干渉レベル閾値より小さいサブフレームを検索して、ＰＨＩＣＨ情報伝送用サブフレームとすることができる。この場合、決定されたＰＨＩＣＨ情報伝送用サブフレームは、上記所定の規則に基づいて唯一に決定されたものであるため、ユーザは、上記所定の規則によって、ＰＨＩＣＨ情報伝送用サブフレームを決定することもできる。上記所定の規則は、基地局およびユーザ端末に予め設定されてよく、あるいは、基地局がＲＲＣシグナリング、ＭＡＣ  ＣＥ、Ｏ＆Ｍシグナリングまたはシステム情報によって、ユーザに対して該所定の規則を設定してもよい。
【００５７】
干渉基地局のＡＢＳパターンと、ユーザから報告されたチャネル状態情報に基づいて、干渉基地局のいずれでもＡＢＳが設定されていないと、または、干渉基地局によって設定されたＡＢＳでの干渉レベルパラメータがいずれも所定の干渉レベル閾値より大きいと決定した場合、基地局は、協調によって、干渉基地局に、新しいＡＢＳパターンを設定させて、新しいＡＢＳパターンを前記基地局およびユーザへ通知させ、あるいは、基地局は、協調によって、干渉基地局に、ＡＢＳでの干渉レベルパラメータを低減するように、新しい送信電力を設定させる。それから、改めて上記ステップ１０２２に進み、新しいＰＨＩＣＨ情報伝送用サブフレームを決定する。
【００５８】
サブステップ１０２３で、システムで予め定義されたサブフレームをＰＨＩＣＨ情報伝送用サブフレームとして決定する。
【００５９】
例えば、Ｒ８／９／１０システムにおいて、基地局は、サブフレームＴで、該ユーザに対して、上りスケジューリング指令を送信し、ユーザは、サブフレームＴ＋４で、上り伝送を行い、基地局は、サブフレームＴ＋８で、ユーザへＰＨＩＣＨ情報をフィードバックする。上記ステップ１０２１〜１０２３における方法を応用すれば、ユーザから報告されたチャネル状態情報によって、基地局は、該ユーザがサブフレームＴ＋８でＰＨＩＣＨ情報を受信することに問題があるかどうかを予め判断することができ、問題がない場合、基地局は、システムで予め定義されたサブフレームＴ＋８でＰＨＩＣＨ情報を伝送することができ、問題がある場合、さらに、干渉基地局のＡＢＳパターンと、ユーザから報告されたチャネル状態情報とに基づいて、新しいサブフレームを決定してＰＨＩＣＨ情報を伝送する。
【００６０】
また、基地局は、ＰＨＩＣＨ情報伝送用サブフレームを決定する際に、干渉基地局のＡＢＳパターンを応用する可能性があるため、基地局は、自局に対して干渉を与える干渉基地局のＡＢＳパターンを予め取得する必要がある。本実施例において、基地局は、基地局間の情報やりとりによって、自局に対して干渉を与える干渉基地局のＡＢＳパターンを取得することができる。上記基地局間の情報やりとりは、既存の有線インタフェース（例えば、Ｓ１またはＸ２インタフェース）、または、無線インタフェース（例えば、エアインタフェース）、あるいは、未来のプロトコルバージョンに定義される新しいインタフェースによって実現することができる。
【００６１】
ステップ１０３で、基地局は、決定されたＰＨＩＣＨ情報伝送用サブフレームでＰＨＩＣＨ情報を伝送する。
【００６２】
本ステップで、決定されたＰＨＩＣＨ情報伝送用サブフレームがシステムで予め設定されたサブフレームではない場合、基地局は、ユーザに対し新しいサブフレームでＰＨＩＣＨ情報を受信するよう予め通知する必要があり、例えば、ＲＲＣシグナリング、ＭＡＣ  ＣＥ、Ｏ＆Ｍシグナリングまたはシステム情報によって、明示的な方式で、ユーザに対し、ＰＨＩＣＨ情報受信用サブフレームのサブフレーム番号を通知し、あるいは、ＲＲＣシグナリング、ＭＡＣ  ＣＥ、Ｏ＆Ｍシグナリングまたはシステム情報によって、ユーザに対して、ＰＨＩＣＨ情報受信用サブフレームの決定規則を予め設定する。このようにして、システムで予め定義されたサブフレームでＰＨＩＣＨ情報を伝送することに問題がある場合、基地局およびユーザは、それぞれ、ＰＨＩＣＨ情報伝送用サブフレームを直接に決定することができるが、余分なシグナリングによって該情報をやり取りする必要がない。
【００６３】
上記の基地局側の方法に対応して、ユーザ側では、下記の図２に示すような方法を実行する必要がある。
【００６４】
ステップ２０１で、ユーザはチャネル状態情報を報告する。
【００６５】
本ステップで、ユーザは、基地局によって設定された新しい報告トリガーイベントに基づいて、該新しい報告トリガーイベントを満たすときにチャネル状態情報を報告し、または、ユーザは、チャネル状態情報を周期的に報告する。上記のように、上記チャネル状態情報は、干渉基地局の干渉レベルパラメータを含み、あるいは、干渉基地局の制御チャネルまたは信号の性能指示を含む。
【００６６】
ステップ２０２で、ユーザは、ＰＨＩＣＨ情報受信用サブフレームを決定して、決定されたサブフレームでＰＨＩＣＨ情報を受信する。
【００６７】
本ステップで、ユーザは、下記２つの方法のうちの１つを採用して、ＰＨＩＣＨ情報受信用サブフレームを決定することができる。
【００６８】
方法１で、ユーザは、基地局から送信された、ユーザに対し新しいサブフレームでＰＨＩＣＨ情報を受信するよう指示するシグナリングを受信したかどうかを判断し、基地局から送信されたシグナリング指示を受信した場合、基地局から送信された新しいサブフレームでＰＨＩＣＨ情報を受信し、基地局から送信されたシグナリング指示を受信していない場合、システムで予め定義されたサブフレームでＰＨＩＣＨ情報を受信する。
【００６９】
方法２で、ユーザは、まず、自局のチャネル状態情報に基づいて、システムで予め定義されたサブフレームでＰＨＩＣＨ情報を受信することに問題があるかどうかを判断し、問題がある場合、基地局との間で予め合意された規則に基づいて、基地局のＰＨＩＣＨ情報伝送用サブフレームを決定し、問題がない場合、システムで予め定義されたサブフレームでＰＨＩＣＨ情報を受信する。
【００７０】
上記のＰＨＩＣＨ情報の伝送方法に対応して、本実施例では、上記方法を実行する基地局およびＵＥも提供されている。図３および図４は、本実施例に係る基地局およびＵＥの内部構成をそれぞれ示す。
【００７１】
図３に示すように、本実施例に係る基地局は、
ユーザから報告されたチャネル状態情報を受信するチャネル状態情報受信手段３０１と、
自局に対して干渉を与える干渉基地局のＡＢＳパターンと、ユーザから報告されたチャネル状態情報とに基づいて、ＰＨＩＣＨ情報伝送用サブフレームを決定するサブフレーム決定手段３０２と、
決定されたＰＨＩＣＨ情報伝送用サブフレームでＰＨＩＣＨ情報を伝送するＰＨＩＣＨ情報伝送手段３０３と、を含む。
【００７２】
ここで、上記サブフレーム決定手段３０２は、具体的に、
ユーザから報告されたチャネル状態情報に基づいて、システムで予め定義されたサブフレームでＰＨＩＣＨ情報を伝送することに問題があるかどうかを判断する判断モジュール３０２１と、
システムで予め定義されたサブフレームでＰＨＩＣＨ情報を伝送することに問題がある場合、干渉基地局のＡＢＳパターンと、ユーザから報告されたチャネル状態情報とに基づいて、新しいＰＨＩＣＨ情報伝送用サブフレームを決定し、システムで予め定義されたサブフレームでＰＨＩＣＨ情報を伝送することに問題がない場合、システムで予め定義されたサブフレームをＰＨＩＣＨ情報伝送用サブフレームとして決定するサブフレーム決定モジュール３０２２と、を含むことができる。
【００７３】
ここで、上記判断モジュール３０２１は、上記ステップ１０２１における方法を採用して、システムで予め定義されたサブフレームでＰＨＩＣＨ情報を伝送することに問題があるかどうかを決定することができる。
【００７４】
サブフレーム決定モジュール３０２２は、上記ステップ１０２２における方法を採用して、ＰＨＩＣＨ情報伝送用サブフレームを決定することができる。
【００７５】
また、基地局は、ＰＨＩＣＨ情報伝送用サブフレームを決定する際に、自局に対して干渉を与える干渉基地局のＡＢＳパターンを応用する可能性があるため、本実施例に係る基地局は、基地局間の情報やりとりによって干渉基地局のＡＢＳパターンを取得するＡＢＳパターン取得手段をさらに含むこともできる。上記基地局間の情報やりとりは、既存の有線インタフェース（例えば、Ｓ１またはＸ２インタフェース）、または、無線インタフェース（例えば、エアインタフェース）、あるいは、未来のプロトコルバージョンに定義される新しいインタフェースによって実現することができる。
【００７６】
さらに、本実施例では、決定されたＰＨＩＣＨ情報伝送用サブフレームが、システムで予め定義されたサブフレームではない場合、基地局は、ユーザに対し新しいサブフレームでＰＨＩＣＨ情報を受信するよう通知する通知手段をさらに含むこともできる。具体的に、基地局は、ＲＲＣシグナリング、ＭＡＣ  ＣＥ、またはＯ＆Ｍシグナリングによって、ユーザに対し新しいサブフレームでＰＨＩＣＨ情報を受信するよう通知することができ、あるいは、ＰＨＩＣＨ情報受信用サブフレームの決定規則をユーザに通知することができる。
【００７７】
図４に示すように、本実施例に係るＵＥは、
チャネル状態情報を報告するチャネル状態情報報告手段４０１と、
ＰＨＩＣＨ情報受信用サブフレームを決定するサブフレーム決定手段４０２と、
決定されたＰＨＩＣＨ情報受信用サブフレームでＰＨＩＣＨ情報を受信するＰＨＩＣＨ情報受信手段４０３と、を含む。
【００７８】
本実施例において、チャネル状態情報報告手段４０１は、基地局によって設定された新しい報告トリガーイベントに基づいて、該新しい報告トリガーイベントを満たすときにチャネル状態情報を報告し、または、チャネル状態情報報告手段４０１は、チャネル状態情報を基地局に周期的に報告する。
【００７９】
本実施例において、上記サブフレーム決定手段４０２は、
基地局から送信された、ユーザに対し新しいサブフレームでＰＨＩＣＨ情報を受信するよう指示するシグナリングを受信するシグナリング受信モジュールと、
基地局から送信されたシグナリングを受信したかどうかを判断し、基地局から送信されたシグナリングを受信した場合、基地局から送信されたシグナリングに基づいて、ＰＨＩＣＨ情報受信用サブフレームを決定し、基地局から送信されたシグナリングを受信していない場合、システムで予め定義されたサブフレームをＰＨＩＣＨ情報受信用サブフレームとして決定するサブフレーム決定モジュールと、を含むことができる。
【００８０】
あるいは、上記サブフレーム決定手段４０２は、
自局のチャネル状態情報に基づいて、システムで予め定義されたサブフレームでＰＨＩＣＨ情報を受信することに問題があるかどうかを判断する受信品質判断モジュールと、
システムで予め定義されたサブフレームでＰＨＩＣＨ情報を受信することに問題がある場合、基地局との間で予め合意された規則に基づいて、基地局のＰＨＩＣＨ情報伝送用サブフレームを決定し、システムで予め定義されたサブフレームでＰＨＩＣＨ情報を受信することに問題がない場合、システムで予め定義されたサブフレームをＰＨＩＣＨ情報受信用サブフレームとして決定するサブフレーム決定モジュールと、を含むこともできる。
【００８１】
本発明のほかの実施例は、被干渉基地局のＰＨＩＣＨ性能を保証できないという課題を解決するために、ほかのＰＨＩＣＨ情報の伝送方法を提供している。
【００８２】
本実施例に係る方法は、図５に示すように、主に、以下のようなステップを含む。
【００８３】
ステップ５０１で、基地局はユーザから報告されたチャネル状態情報を受信する。
【００８４】
上記チャネル状態情報は、干渉基地局の干渉レベルパラメータあるいは干渉基地局の制御チャネルまたは信号の性能指示を含む。
【００８５】
本実施例において、ユーザ側でも、図２に示すような上記のステップ２０１を実行して、自局のチャネル状態情報を基地局へ報告する必要がある。ユーザが自局のチャネル状態情報を基地局へ報告できるようにするために、基地局は、ユーザに対して、新しい報告トリガーイベントを設定する必要がある。本実施例において、基地局およびユーザは、該新しい報告トリガーイベントを予め定義して設定することができる。また、基地局は、ＲＲＣシグナリング、ＭＡＣ  ＣＥ、またはシステム情報によって、ユーザに対して、該新しい報告トリガーイベントを設定することもできる。
【００８６】
ステップ５０２で、ユーザから報告されたチャネル状態情報に基づいて、該ユーザがシステムで予め定義されたサブフレームでＰＨＩＣＨ情報を受信することに問題があるかどうかを判断し、問題がある場合、相応の上りサブフレームで該ユーザをスケジューリングしなく、つまり、該ユーザの上り伝送をスケジューリングしない。
【００８７】
本ステップで、上記チャネル状態情報が干渉基地局の干渉レベルパラメータ（例えば、干渉エネルギーまたは干渉電力）を含む場合、本ステップで、チャネル状態情報における干渉レベルパラメータと所定の干渉レベル閾値とを比較し、干渉レベルパラメータが所定の干渉レベル閾値より大きい場合、システムで予め定義されたサブフレームでＰＨＩＣＨ情報を伝送することに問題があると決定し、干渉レベルパラメータが所定の干渉レベル閾値より大きくない場合、システムで予め定義されたサブフレームでＰＨＩＣＨ情報を伝送することに問題がないと決定する。
【００８８】
上記チャネル状態情報が干渉基地局の制御チャネルまたは信号の性能指示を含む場合、直接に、制御チャネルまたは信号の性能指示に基づいて、システムで予め定義されたサブフレームでＰＨＩＣＨ情報を伝送することに問題があるかどうかを決定する。例えば、基地局によって設定された新しい報告トリガーイベントに基づいて、制御チャネルまたは信号の性能がシステム要求を満たすことができないときにだけ、チャネル状態情報が報告されて、報告されるチャネル状態情報に制御チャネルまたは信号の性能指示が含まれる場合、基地局は、ユーザから報告されたチャネル状態情報を受信したとき、その中の制御チャネルまたは信号の性能指示によって、システムで予め定義されたサブフレームでＰＨＩＣＨ情報を伝送することに問題があると決定することができる。
【００８９】
例えば、Ｒ８／９／１０システムにおいて、基地局が、サブフレームＴで、該ユーザに対して、上りスケジューリング指令を送信する場合、ユーザは、サブフレームＴ＋４で、上り伝送を行い、基地局は、サブフレームＴ＋８で、ユーザへＰＨＩＣＨ情報をフィードバックする。上記の方法を応用すれば、ユーザから報告されたチャネル状態情報によって、基地局は、該ユーザがサブフレームＴ＋８でＰＨＩＣＨを受信することに問題があるかどうかを判断し、問題がある場合、サブフレームＴで、基地局は、該ユーザの上り伝送をスケジューリングしなく、問題がない場合、サブフレームＴで、基地局は、該ユーザの上り伝送をスケジューリングすることができる。このようにして、基地局のスケジューリングによって、干渉状況が悪いサブフレームで、ＰＨＩＣＨ受信を保証できないユーザへフィードバックする必要がない。
【００９０】
上記のＰＨＩＣＨ情報の伝送方法に対応して、本実施例では、また、上記方法を実行する基地局が提供されている。図６は、本実施例に係る基地局の内部構成を示す。
【００９１】
図６に示すように、本実施例に係る基地局は、
ユーザから報告されたチャネル状態情報を受信するチャネル状態情報受信手段３０１と、
ユーザから報告されたチャネル状態情報に基づいて、システムで予め定義されたサブフレームでＰＨＩＣＨ情報を伝送することに問題があるかどうかを判断し、問題がある場合、相応の上りサブフレームで該ユーザをスケジューリングしない上りスケジューリング手段６０１と、を含む。
【００９２】
相応的に、本実施例において、ＵＥも、図４に示すような、チャネル状態情報を報告するチャネル状態情報報告手段４０１を含む必要がある。上記のように、該チャネル状態情報報告手段４０１は、基地局によって設定された新しい報告トリガーイベントに基づいて、該新しい報告トリガーイベントを満たすときに、チャネル状態情報を報告する。
【００９３】
ここから分かるように、本発明で提供されている方法および装置は、異種ネットワークでの被干渉システムのＰＨＩＣＨの復調性能を効果的に向上させることができ、受ける干渉の影響が大きいユーザにとって、データ伝送遅延を基本的に保証できるとともに、余分なシグナリングオーバヘッドを多く増加させることがないため、システムに大きな影響を与えることがない。
【００９４】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００９５】
３０１  チャネル状態情報受信手段
３０２  サブフレーム決定手段
３０２１  判断モジュール
３０２２  サブフレーム決定モジュール
３０３  ＰＨＩＣＨ情報伝送手段
４０１  チャネル状態情報報告手段
４０２  サブフレーム決定手段
４０３  ＰＨＩＣＨ情報受信手段
６０１  上りスケジューリング手段
【図１】
0006029964.tif 000002
【図２】
0006029964.tif 000003
【図３】
0006029964.tif 000004
【図４】
0006029964.tif 000005
【図５】
0006029964.tif 000006
【図６】
0006029964.tif 000007